(57)【要約】【課題】安全かつ容易にエレベータのかごの昇降速度を測定することができる速度測定装置固定治具を提供する。【解決手段】本発明による速度測定装置固定治具１０は、一対の押え部１１、１２と、この一対の押え部１１、１２間に連結された本体連結部１３とを有し、速度測定装置９を挟持する治具本体１４を備えている。また、各押え部１１、１２のうちの一方の押え部１１に、速度測定装置９を他方の押え部１２側に押圧する押圧部材１５が係合している。さらに、治具本体１４に、治具本体１４をかご１に固定する固定機構３０が設けられている。【選択図】図５
2010173784.tif 000002
【特許請求の範囲】
【請求項１】
昇降路内に設置されたガイドレールに沿って昇降するエレベータのかごに固定され、前記ガイドレールに当接して前記かごの昇降速度を測定する速度測定装置を固定するための速度測定装置固定治具において、
一対の押え部と、前記一対の押え部間に連結された本体連結部とを有し、前記速度測定装置を挟持する治具本体と、
前記各押え部のうちの一方の押え部に係合し、前記速度測定装置を他方の押え部側に押圧する押圧部材と、
前記治具本体を前記かごに固定する固定機構と、を備えたことを特徴とする速度測定装置固定治具。
【請求項２】
前記治具本体に、当該治具本体により挟持された前記速度測定装置の挟持方向に対して直交する方向の位置を決める位置決め部材が取り付けられていることを特徴とする請求項１に記載の速度測定装置固定治具。
【請求項３】
前記押圧部材と前記速度測定装置との間に加圧板が介在されていることを特徴とする請求項１または２に記載の速度測定装置固定治具。
【請求項４】
前記加圧板と前記速度測定装置との間、および前記他方の押え部と前記速度測定装置との間に、緩衝部材が介在されていることを特徴とする請求項３に記載の速度測定装置固定治具。
【請求項５】
前記他方の押え部と前記速度測定装置との間に、スペーサが介在されていることを特徴とする請求項３に記載の速度測定装置固定治具。
【請求項６】
前記加圧板と前記速度測定装置との間、および前記スペーサと前記速度測定装置との間に、緩衝部材が介在されていることを特徴とする請求項５に記載の速度測定装置固定治具。
【請求項７】
前記一方の押え部に係合する前記押圧部材は、スタッドと、前記スタッドに螺合するチョウナットと、前記スタッドに外装され、前記速度測定装置を前記他方の押え部側に押圧する弾性部材とを有していることを特徴とする請求項１乃至６のいずれか一項に記載の速度測定装置固定治具。
【請求項８】
前記各押え部に、前記押圧部材と係合する係合穴がそれぞれ設けられ、
前記押圧部材は、前記各押え部のうちのいずれか一方に係合して前記速度測定装置を押圧することを特徴とする請求項１乃至７のいずれか一項に記載の速度測定装置固定治具。
【請求項９】
前記治具本体は、前記かごのかご案内装置の装置取付台座に固定され、
前記固定機構は、前記装置取付台座が挿入される一対の固定部と、一方の固定部に係合し、前記一対の固定部間に挿入された前記装置取付台座を他方の固定部側に押圧する締結部材とを有していることを特徴とする請求項１乃至８のいずれか一項に記載の速度測定装置固定治具。
【請求項１０】
前記治具本体は、前記かごの一対の縦枠間を連結する前記縦枠連結部材に介在部材を介して固定され、
前記固定機構は、前記介在部材が挿入される一対の固定部と、一方の固定部に係合し、前記一対の固定部間に挿入された前記介在部材を他方の固定部側に押圧する締結部材とを有していることを特徴とする請求項１乃至８のいずれか一項に記載の速度測定装置固定治具。
【発明の詳細な説明】
【技術分野】
【０００１】
本発明は、昇降路内に設置されたガイドレールに沿って昇降するエレベータのかごに固定され、ガイドレールに当接してかごの昇降速度を測定する速度測定装置を固定するための速度測定装置固定治具に関する。
【背景技術】
【０００２】
一般に、保守点検時に、回転接触子を有するハンディタイプの速度測定装置が用いて、エレベータのかごの昇降速度を測定する場合がある。この場合、この速度測定装置の回転接触子を昇降路内に設置されたガイドレールに当接させながらかごを昇降させる。このことにより、速度測定装置の回転接触子が回転し、速度測定装置の表示部にかごの速度が表示され、かごの昇降速度が測定される。
【０００３】
また、回転接触子を有する速度検出器を外部に取り付け、この速度検出器にケーブルを介して接続された装置本体をかご内部に取り付けて、かごの昇降速度を測定する場合もある。
【０００４】
さらに、所定間隔毎に認識部となる目盛の入ったスケールからなる被検出部を、昇降路の床に設けられた巻取り収納部に収納し、この巻取り収納部から一端を引き出してかご下部に接続し、この引き出された被検出部に対向して設置された検出部により、被検出部の認識部を検出してかごの昇降速度を測定する速度測定装置が知られている（例えば、特許文献１参照）。
【先行技術文献】
【特許文献】
【０００５】
【特許文献１】特開平９−２２１２７８号公報
【発明の概要】
【発明が解決しようとする課題】
【０００６】
しかしながら、回転接触子を有する速度測定装置を用いてかごの昇降速度を測定する場合、かご上に乗った作業者が、速度測定装置の回転接触子がガイドレールに当接するように速度測定装置を把持している。このため、誤って、回転接触子がガイドレールから外れたり、他の構造物（例えばガイドレール固定用クリップのボルト等）に接触したりすることがあり、作業者が負傷する可能性がある。このことは、回転接触子を有する速度検出器を外部に取り付け、この速度検出器にケーブルを介して接続された装置本体をかご内部に取り付けて、かごの昇降速度を測定する場合においても同様である。
【０００７】
また、特許文献１に示す速度測定装置では、設置するために多くの時間がかかると考えられ、保守点検時等に、かごの昇降速度を容易に測定することが困難である。
【０００８】
本発明は、このような点を考慮してなされたものであり、安全かつ容易にエレベータのかごの昇降速度を測定することができる速度測定装置固定治具を提供することを目的とする。
【課題を解決するための手段】
【０００９】
本発明は、昇降路内に設置されたガイドレールに沿って昇降するエレベータのかごに固定され、前記ガイドレールに当接して前記かごの昇降速度を測定する速度測定装置を固定するための速度測定装置固定治具において、一対の押え部と、前記一対の押え部間に連結された本体連結部とを有し、前記速度測定装置を挟持する治具本体と、前記各押え部のうちの一方の押え部に係合し、前記速度測定装置を他方の押え部側に押圧する押圧部材と、前記治具本体を前記かごに固定する固定機構と、を備えたことを特徴とする速度測定装置固定治具である。
【００１０】
本発明は、前記治具本体に、当該治具本体により挟持された前記速度測定装置の挟持方向に対して直交する方向の位置を決める位置決め部材が取り付けられていることを特徴とする速度測定装置固定治具である。
【００１１】
本発明は、前記押圧部材と前記速度測定装置との間に加圧板が介在されていることを特徴とする速度測定装置固定治具である。
【００１２】
本発明は、前記加圧板と前記速度測定装置との間、および前記他方の押え部と前記速度測定装置との間に、緩衝部材が介在されていることを特徴とする速度測定装置固定治具である。
【００１３】
本発明は、前記他方の押え部と前記速度測定装置との間に、スペーサが介在されていることを特徴とする速度測定装置固定治具である。
【００１４】
本発明は、前記加圧板と前記速度測定装置との間、および前記スペーサと前記速度測定装置との間に、緩衝部材が介在されていることを特徴とする速度測定装置固定治具である。
【００１５】
本発明は、前記一方の押え部に係合する前記押圧部材は、スタッドと、前記スタッドに螺合するチョウナットと、前記スタッドに外装され、前記速度測定装置を前記他方の押え部側に押圧する弾性部材とを有していることを特徴とする速度測定装置固定治具である。
【００１６】
本発明は、前記各押え部に、前記押圧部材と係合する係合穴がそれぞれ設けられ、前記押圧部材は、前記各押え部のうちのいずれか一方に係合して前記速度測定装置を押圧することを特徴とする速度測定装置固定治具である。
【００１７】
本発明は、前記治具本体は、前記かごのかご案内装置の装置取付台座に固定され、前記固定機構は、前記装置取付台座が挿入される一対の固定部と、一方の固定部に係合し、前記一対の固定部間に挿入された前記装置取付台座を他方の固定部側に押圧する締結部材とを有していることを特徴とする速度測定装置固定治具である。
【００１８】
本発明は、前記治具本体は、前記かごの一対の縦枠間を連結する前記縦枠連結部材に介在部材を介して固定され、前記固定機構は、前記介在部材が挿入される一対の固定部と、一方の固定部に係合し、前記一対の固定部間に挿入された前記介在部材を他方の固定部側に押圧する締結部材とを有していることを特徴とする速度測定装置固定治具である。
【発明の効果】
【００１９】
本発明によれば、治具本体の一対の押え部間に挿入された速度測定治具が、一方の押え部に係合した押圧部材によって他方の押え部側に押圧されて治具本体に挟持される。また、この速度測定装置を挟持した治具本体が固定機構を介してかごに固定される。このことにより、速度測定装置をかごに確実に固定して、速度測定装置を昇降路内に設置されたガイドレールに安定して当接させることができる。すなわち、かごの昇降速度を測定する際、速度測定装置をガイドレールに当接させるために作業者が速度測定装置を把持する必要がない。このため、かごの昇降速度を安全かつ容易に測定することができる。
【図面の簡単な説明】
【００２０】
【図１】図１は、かごの全体構成を示す図。
【図２】図２は、かご上に設置されたかご案内装置の一例を示す平面図。
【図３】図３は、図２の正面図。
【図４】図４は、本発明の第１の実施の形態における速度測定装置固定治具の全体構成を示す斜視図。
【図５】図５は、本発明の第１の実施の形態において、速度測定装置が取り付けられた速度測定装置固定治具を示す斜視図。
【図６】図６は、本発明の第１の実施の形態における速度測定装置固定治具において、比較的幅が狭い速度測定装置を固定機構側から押圧して取り付けた状態を示す図。
【図７】図７は、本発明の第１の実施の形態における速度測定装置固定治具において、比較的幅が狭い速度測定装置を固定機構とは反対側から押圧して取り付けた状態を示す図。
【図８】図８は、本発明の第１の実施の形態において、速度測定装置が取り付けられた速度測定装置固定治具をかご案内装置の装置取付台座に固定した状態を示す平面図。
【図９】図９は、図８の正面図。
【図１０】図１０は、本発明の第１の実施の形態における速度測定装置固定治具において、比較的幅が広い速度測定装置を固定機構側から押圧して取り付けた状態を示す図。
【図１１】図１１は、本発明の第１の実施の形態における速度測定装置固定治具において、比較的幅が広い速度測定装置を固定機構とは反対側から押圧して取り付けた状態を示す図。
【図１２】図１２は、本発明の第２の実施の形態において、かご内に形成された点検窓を示す断面図。
【図１３】図１２における点検窓に取り付けられた案内板を示す断面図。
【図１４】図１４は、本発明の第２の実施の形態において、速度測定装置が取り付けられた速度測定装置固定治具を中桟部材に固定した状態を示す平面図。
【図１５】図１５は、図１４の正面図。
【図１６】図１６は、図１５におけるＸ−Ｘ線断面図。
【発明を実施するための形態】
【００２１】
第１の実施の形態
以下、図面を参照して、本発明の実施の形態について説明する。ここで、図１乃至図１１は、本発明の第１の実施の形態における速度測定装置固定治具を示す図である。
【００２２】
まず、図１によりエレベータのかご１の全体構成について説明する。図１に示すようにかご１は、かご本体２と、かご本体２の外側面に設けられた一対の縦枠５と、縦枠５上に設置されたかご案内装置（ローラガイド）６とを有している。このうち、かご案内装置６は、図１乃至図３に示すように、縦枠５上に取り付けられた装置取付台座７と、この装置取付台座７に設けられ、ガイドレール４に当接するローラ８とを有している。なお、図示しないが、かご１は主索を介して駆動装置に連結され、かご案内装置６により案内されながら昇降路３内を昇降するようになっている。
【００２３】
次に本発明による速度測定装置固定治具１０について説明する。ここで速度測定装置固定治具１０は、昇降路３内に設置されたガイドレール４に沿って昇降するエレベータのかご１に固定され、ガイドレール４に当接してかご１の昇降速度を測定する速度測定装置９を固定するためのものである。なお、速度測定装置９は、図５に示すように、筐体９ａと、筐体９ａから突出し、ガイドレール４に当接してかご１の昇降速度を検出する回転接触子９ｂとを有し、かご１が昇降する際、回転接触子９ｂが回転してかご１の昇降速度が測定できるようになっている。
【００２４】
図４および図５に示すように速度測定装置固定治具１０は、一対の押え部（第１押え部１１および第２押え部１２）と、第１押え部１１と第２押え部１２との間に連結された本体連結部１３とを有し、速度測定装置９を挟持する治具本体１４と、第１押え部１１に係合し、速度測定装置９を第２押え部１２側に押圧する２つの押圧部材１５とを備えている。この治具本体１４は、断面がコ字状となるように折り曲げて形成され、第１押え部１１および第２押え部１２に押圧部材１５と係合する２つの係合穴１１ａ、１２ａ（図６参照）がそれぞれ設けられている。また、各押圧部材１５は、係合穴１１ａ、１２ａに係合自在なスタッド１６とこのスタッド１６に螺合する蝶ナット１７と、スタッド１６に外装され、治具本体１４内に挿入された速度測定装置９を第２押え部１２側に押圧する圧縮ばね（弾性部材）１８とを有し、第１押え部１１および第２押え部１２のうちのいずれか一方に係合している。
【００２５】
また、治具本体１４の本体連結部１３上に、この治具本体１４により挟持された速度測定装置９の挟持方向に対して直交する方向（速度測定装置９の長手方向）の位置を決める位置決め部材１９が取り付けられている。この位置決め部材１９は、スタッド２３および蝶ナット２４を用いて本体連結部１３に取り付けられており、スタッド２３に係合する２つの取付穴２２を含む位置決め部材本体２０と、この位置決め部材本体２０から治具本体１４側に突出する突出部２１とを有し、断面が略Ｌ字状となるように折り曲げて形成されている。なお、位置決め部材本体２０の各取付穴２２は、その長手方向に延びる長円状に形成されており、突出部２１の位置を長手方向に調整可能になっている。
【００２６】
また、押圧部材１５と速度測定装置９との間に加圧板２５が介在されている。すなわち、図６に示すように、押圧部材１５のスタッド１６の一端側に加圧板２５が取り付けられ、この加圧板２５と第１押え部１１との間に圧縮ばね１８が介在され、第１押え部１１から突出しているスタッド１６の他端側が蝶ナット１７により締め付けられている。
【００２７】
また、図６に示すように、治具本体１４の第２押え部１２と速度測定装置９との間に、スペーサ２６が介在されている。すなわち、第２押え部１２の内側に、蝶ボルト２７を用いてスペーサ２６が取り付けられている。
【００２８】
さらに、図６に示すように、加圧板２５と速度測定装置９との間、およびスペーサ２６と速度測定装置９との間に、ゴム板（緩衝部材）２８が介在されている。すなわち、加圧板２５およびスペーサ２６の速度測定装置９に対向する面に、ゴム板２８がそれぞれ貼り付けられている。なお、図７に示すように、さらに、治具本体１４の第１押え部１１、第２押え部１２、および本体連結部１３の内面（速度測定装置９に対向する面）に、ゴム板２８をそれぞれ貼り付けてもよい。
【００２９】
また、図１に示すように、治具本体１４に、治具本体１４をかご１のかご案内装置６の装置取付台座７に固定する固定機構３０が設けられている。すなわち、固定機構３０は、断面がコ字状に形成されており、かご案内装置６の装置取付台座７が挿入される一対の固定部（第１固定部３１および第２固定部３２）と、第１固定部３１と第２固定部３２との間に連結された固定連結部３３とを有し、内部に溝部３４が形成されている。この溝部３４の深さ（図４に示す寸法Ａ）は、かご案内装置６の装置取付台座７の先端を固定連結部３３に当接させるようにして速度測定装置固定治具１０を装置取付台座に固定した際、速度測定装置９の回転接触子９ｂとガイドレール４との位置が合うような深さであることが好ましい。このことにより、速度測定装置９の回転接触子９ｂとガイドレール４との位置合わせを容易に行うことができる。また、第１固定部３１に、第１固定部３１と第２固定部３２との間に挿入された装置取付台座７を第２固定部３２側に押圧する蝶ボルト（締結部材）３５が係合自在に設けられている。
【００３０】
次に、このような構成からなる本実施の形態の作用について説明する。
【００３１】
まず、速度測定装置固定治具１０に速度測定装置９を取り付ける方法について説明する。
【００３２】
この場合、まず、加圧板２５を押圧部材１５の圧縮ばね１８の付勢力に対抗して第１押え部１１側に移動させて保持する。次に、図５に示すように、この第１押え部１１側の加圧板２５と第２押え部１２側のスペーサ２６との間に速度測定装置９を挿入する。この際、この速度測定装置９の筐体９ａの回転接触子９ｂ側の端部を位置決め部材１９の突出部２１に当接させる。このことにより、速度測定装置９の回転接触子９ｂの長手方向位置をガイドレール４の位置に容易に対応させることができる。
【００３３】
次に、加圧板２５を速度測定装置９の筐体９ａに当接させ、押圧部材１５のスタッド１６が蝶ナット１７により締め付ける。このことにより、圧縮ばね１８による押圧力を速度測定装置９に均一に付与して、治具本体１４に速度測定装置９を確実に挟持することができる。この場合、このように圧縮ばね１８により速度測定装置９を押圧していることにより、かご１が昇降している間、速度測定装置９の回転接触子９ｂがガイドレール４の繋ぎ目などを通過して回転接触子９ｂが衝撃を受けた場合においても、この衝撃を吸収することができる。また、加圧板２５と速度測定装置９との間、およびスペーサ２６と速度測定装置９との間に、ゴム板２８が介在されているため、速度測定装置９が治具本体１４に対してずれることを防止するとともに、速度測定装置９の筐体９ａが損傷することを防止することができる。
【００３４】
次に、速度測定装置９が取り付けられた速度測定装置固定治具１０をかご案内装置６の装置取付台座７に固定する方法について説明する。
【００３５】
この場合、まず、かご案内装置６の装置取付台座７が固定機構３０の溝部３４に挿入される。この際、装置取付台座７の先端を、固定機構３０の固定連結部３３に当接させる。このことにより、速度測定装置９の回転接触子９ｂとガイドレール４との長手方向の位置合わせを容易に行うことができる。次に、蝶ボルト３５を締め付けて、この締付力により装置取付台座７が第２固定部３２側に押圧され、治具本体１４が装置取付台座７に固定される。
【００３６】
このようにして、速度測定装置９が取り付けられた速度測定装置固定治具１０をかご案内装置６の装置取付台座７に固定した後（図８、図９参照）、かご１を昇降させる。この間、ガイドレール４に当接した速度測定装置９の回転接触子９ｂが回転してかご１の昇降速度が検出され、このことにより、かご１の昇降速度を測定することができる。
【００３７】
このように本実施の形態によれば、治具本体１４の第１押え部１１と第２押え部１２との間に挿入された速度測定装置９が、第１押え部１１に係合した押圧部材１５の圧縮ばね１８の押圧力によって第２押え部１２側に押圧されて治具本体１４に挟持される。また、第１固定部３１と第２固定部３２との間に挿入されたかご案内装置６の装置取付台座７が、第１固定部３１に係合した蝶ボルト３５によって第２固定部３２側に押圧され、治具本体１４が装置取付台座７に固定される。このことにより、速度測定装置９を挟持した治具本体１４を、固定機構３０を介してかご案内装置６の装置取付台座７に確実に固定して、速度測定装置９の回転接触子９ｂを昇降路３内に設置されたガイドレール４に安定して当接させることができる。すなわち、かご１の昇降速度を測定する際、速度測定装置９の回転接触子９ｂをガイドレール４に当接させるために作業者が速度測定装置９を把持する必要がない。この結果、かご１の昇降速度を安全かつ容易に測定することができる。
【００３８】
また、本実施の形態によれば、治具本体１４の第２押え部１２と速度測定装置９との間にスペーサ２６が介在されている。このため、治具本体１４により筐体９ａの幅が比較的狭い速度測定装置９を確実に挟持することができる。
【００３９】
なお、本実施の形態によれば、押圧部材１５を第１押え部１１に係合させて速度測定装置９を第２押え部１２側に押圧する例について述べた。しかしながらこのことに限られることはなく、第１押え部１１および第２押え部１２に押圧部材１５のスタッド１６が係合する２つの係合穴１１ａ、１２ａがそれぞれ設けられているため、図７に示すように、押圧部材１５を第２押え部１２に係合させて速度測定装置９を第１押え部１１側に押圧しても良い。このことにより、大きさまたは形状等が異なる種々の速度測定装置９をかご案内装置６の装置取付台座７に確実に固定させることができる。なお、この場合、スペーサ２６は治具本体１４の第１押え部１１と速度測定装置９との間に介在される。
【００４０】
また、本実施の形態においては、上述したように、治具本体１４の第２押え部１２と速度測定装置９との間にスペーサ２６が介在した例について述べたが、このことに限られることはなく、スペーサ２６を介在させることなく、図１０に示すように、第１押え部１１と第２押え部１２との間に速度測定装置９を挟持するようにしても良い。この場合、治具本体１４に筐体９ａの幅が比較的広い速度測定装置９を確実に挟持することができる。すなわち、スペーサ２６を介在させるか否かにより、第１押え部１１と第２押え部１２との間に、幅が異なる筐体９ａを有する種々の速度測定装置９を挟持することができる。この場合さらに、図１１に示すように、押圧部材１５を第２押え部１２に係合させて速度測定装置９を第１押え部１１側に押圧しても良い。
【００４１】
第２の実施の形態
次に、図１２乃至図１６により、本発明の第２の実施の形態における速度測定装置固定治具について説明する。
【００４２】
図１２乃至図１６に示す第２の実施の形態において、速度測定装置固定治具は、かごの一対の縦枠間を連結する縦枠連結部材に固定されている点が異なるのみであり、他の構成は、図１乃至図１１に示す第１の実施の形態と略同一である。なお、図１２乃至図１６において、図１乃至図１１に示す第１の実施の形態と同一部分には同一符号を付して詳細な説明は省略する。
【００４３】
図１２、図１４および図１５に示すように、かご本体２の外側面に設けられた一対の縦枠５間に、複数の中桟部材（縦枠連結部材）４０が梯子状に連結されている。なお、各縦枠５はＬ形鋼材により形成され、各中桟部材４０は平形鋼を折り曲げて形成されている。また、図１２に示すように、かご本体２のかご側板２ａに、複数の中桟部材４０のうちの一つの中桟部材４０に対応する位置に点検窓４２が設けられている。さらに、図１３に示すように、この点検窓４２に額縁形状を有する案内板４３が着脱自在に取り付けられ、通常運転時には、かご本体２内の美観が損なわれることを防止している。
【００４４】
また、図１４乃至図１６に示すように、治具本体１４は、中桟部材４０に中桟取付台座４１を介して固定されている。この中桟取付台座４１は、図１６に示すように、中桟部材４０が挿入される一対の中桟側部（第１中桟側部４４および第２中桟側部４５）と、第１中桟側部４４と第２中桟側部４５とを締結し、ボルト４７およびばね座金４８を含む台座締結部材４６とを有し、第１中桟側部４４と第２中桟側部４５との間に中桟部材４０が挿入可能に形成されている。また、第２中桟側部４５に、固定機構３０の第１固定部３１と第２固定部３２との間に挿入される被挿入部４９が設けられている。このような中桟取付台座４１は、断面がＬ字形状となるように折り曲げられた２つの鋼板を溶接により接合して形成されている。
【００４５】
また、固定機構３０は、図１乃至図１１により示される第１の実施の形態と同様に、断面がコ字状に形成されており、中桟取付台座４１の被挿入部４９が挿入される一対の固定部（第１固定部３１および第２固定部３２）と、第１固定部３１と第２固定部３２との間に連結された固定連結部３３とを有し、内部に溝部３４が形成されている。この溝部３４の深さ（図４に示す寸法Ａ）は、中桟取付台座４１の先端を固定連結部３３に当接させるようにして速度測定装置固定治具１０を中桟取付台座４１に固定した際、速度測定装置９の回転接触子９ｂとガイドレール４との位置が合うような深さであることが好ましい。このことにより、速度測定装置９の回転接触子９ｂとガイドレール４との位置合わせを容易に行うことができる。また、第１固定部３１に、第１固定部３１と第２固定部３２との間に挿入された中桟取付台座４１の被挿入部４９を第２固定部３２側に押圧する蝶ボルト（締結部材）３５が係合自在に設けられている。
【００４６】
本実施の形態において、速度測定装置９が取り付けられた速度測定装置固定治具１０を中桟部材４０に固定する方法について説明する。
【００４７】
まず、図１２および図１３に示すように、かご本体２のかご側板２ａに形成された点検窓４２から案内板４３が取り外される。
【００４８】
次に、図１４乃至図１６に示すように、点検窓４２を介して、中桟部材４０に中桟取付台座４１が取り付けられる。この場合、まず、中桟取付台座４１の第１中桟側部４４と第２中桟側部４５との間に中桟部材４０を挿入させる。次に、台座締結部材４６が締め付けられ、第１中桟側部４４と第２中桟側部４５が挟持され、中桟部材４０に中桟取付台座４１が固定される。
【００４９】
次に、中桟取付台座４１の被挿入部４９が固定機構３０の溝部３４に挿入される。この際、中桟取付台座４１の先端を、固定機構３０の固定連結部３３に当接させる。このことにより、速度測定装置９の回転接触子９ｂとガイドレール４との長手方向の位置合わせを容易に行うことができる。次に、蝶ボルト３５を締め付けて、この締付力により中桟取付台座４１が第２固定部３２側に押圧され、治具本体１４が中桟取付台座４１に固定される。
【００５０】
このように本実施の形態によれば、第１中桟側部４４と第２中桟側部４５との間に挿入された中桟取付台座４１が、台座締結部材４６によって第１中桟側部４４と第２中桟側部４５との間に挟持される。また、第１固定部３１と第２固定部３２との間に挿入された中桟取付台座４１が、第１固定部３１に係合した蝶ボルト３５によって第２固定部３２側に押圧され、治具本体１４が中桟取付台座４１に固定される。このことにより、速度測定装置９を挟持した治具本体１４を、固定機構３０を介して中桟取付台座４１に確実に固定して、速度測定装置９の回転接触子９ｂを昇降路３内に設置されたガイドレール４に安定して当接させることができる。この結果、かご１の昇降速度を安全かつ容易に測定することができる。
【００５１】
また本実施の形態によれば、かご本体２内から点検窓４２を介して、速度測定装置９が取り付けられた治具本体１４を中桟部材４０に固定することができる。すなわち、速度測定装置９が取り付けられた治具本体１４を取り付ける作業をかご本体２内において行うことができるとともに、かご１の昇降速度の測定を行う作業をかご１内において行うことができる。このため、かご１の昇降速度をより一層安全かつ容易に測定することができる。
【符号の説明】
【００５２】
１      かご
２      かご本体
２ａ    かご側板
３      昇降路
４      ガイドレール
５      縦枠
６      かご案内装置
７      取付台座
８      ローラ
９      速度測定装置
９ａ    筐体
９ｂ    回転接触子
１０    速度測定装置固定治具
１１    第１押え部
１１ａ  係合穴
１２    第２押え部
１２ａ  係合穴
１３    本体連結部
１４    治具本体
１５    押圧部材
１６    スタッド
１７    蝶ナット
１８    圧縮ばね
１９    位置決め部材
２０    位置決め部材本体
２１    突出部
２２    取付穴
２３    スタッド
２４    蝶ナット
２５    加圧板
２６    スペーサ
２７    蝶ボルト
２８    ゴム板
３０    固定機構
３１    第１固定部
３２    第２固定部
３３    固定連結部
３４    溝部
３５    蝶ボルト
４０    中桟部材
４１    中桟取付台座
４２    点検窓
４３    案内板
４４    第１中桟側部
４５    第２中桟側部
４６    台座締結部材
４７    ボルト
４８    ばね座金
４９    被挿入部
【図１】
2010173784.tif 000003
【図２】
2010173784.tif 000004
【図３】
2010173784.tif 000005
【図４】
2010173784.tif 000006
【図５】
2010173784.tif 000007
【図６】
2010173784.tif 000008
【図７】
2010173784.tif 000009
【図８】
2010173784.tif 000010
【図９】
2010173784.tif 000011
【図１０】
2010173784.tif 000012
【図１１】
2010173784.tif 000013
【図１２】
2010173784.tif 000014
【図１３】
2010173784.tif 000015
【図１４】
2010173784.tif 000016
【図１５】
2010173784.tif 000017
【図１６】
2010173784.tif 000018